(57)【要約】
【課題】　差込口への差込み方向が可変で、隣り合う差込口へ差し込むプラグ相互の干渉を回避することができる多穴コンセントの提供。
【解決手段】　座体１内に複数の差込口ユニット４及び導電端子２，３を収納し、導電端子２，３に設けたクリップ２１，３１を差込口ユニット４内へ配置し、差込口ユニット４は差込口４４，４５がクリップ２１，３１を中心に回転するよう座体１に支持され、差込口ユニット４が回動しても、差込口４４，４５を通してクリップ２１，３１へプラグの刃を接続可能とする。
【選択図】　　　　　図１
0003100314.tif 000002
【実用新案登録請求の範囲】
【請求項１】
座体と、複数の中空な差込口ユニットと、前記座体内に収納されて送電回路の往路及び帰路を構成する第１導電端子及び第２導電端子とを有し、前記第１導電端子及び第２導電端子に、前記差込口ユニット内に配置されて、プラグの刃を受け入れ可能なクリップをそれぞれ設け、前記差込口ユニットにプラグの刃を抜挿可能な差込口を形成し、前記差込口ユニットは、前記差込口が前記クリップを中心として回転するよう、前記座体に回動自在に支持され、該差込口ユニットが回動しても、前記差込口を通して前記クリップへプラグの刃を接続可能としたことを特徴とする多穴コンセント。
【考案の詳細な説明】
【技術分野】
【０００１】
　本考案は、複数組の差込口を有する多穴コンセントに関する。
【背景技術】
【０００２】
　一般的な多穴コンセントは、座体の表面に複数組の差込口が等間隔で配置され、複数の家電製品のプラグを差し込んでも、互いに干渉し合わないようになっている。
　ところが、変圧器の電源プラグのような大型のプラグを差し込むと、隣接する別の差込口を塞いでしまい、塞がれた差込口は使用できなくなってしまう。
　また、上記従来の多穴コンセントは、差込口へプラグを差し込む方向が一定で変化させることができず、家電製品の位置等によっては非常に不便であった。
【考案の開示】
【考案が解決しようとする課題】
【０００３】
　本考案が解決しようとする課題は、上記従来の多穴コンセントの欠点を解消し、大きさが異なるプラグを複数差し込んでも、差込口の角度を変化させることにより、隣り合う差込口へプラグを異なる角度で差し込めるので、相互の干渉を回避することができる多穴コンセントを提供することにある。
【課題を解決するための手段】
【０００４】
　本考案の多穴コンセントは、座体と、複数の中空な差込口ユニットと、前記座体内に収納されて送電回路の往路及び帰路を構成する第１導電端子及び第２導電端子とを有し、前記第１導電端子及び第２導電端子に、前記差込口ユニット内に配置されて、プラグの刃を受け入れ可能なクリップをそれぞれ設け、前記差込口ユニットにプラグの刃を抜挿可能な差込口を形成し、前記差込口ユニットは、前記差込口が前記クリップを中心として回転するよう、座体に回動自在に支持され、該差込口ユニットが回動しても、前記差込口を通して前記クリップへプラグの刃を接続可能としてある。
【考案の効果】
【０００５】
　本考案によれば、差込口ユニットを回動させ、隣り合う差込口への差込方向を互いに異なる角度とすることにより、大型のプラグを差し込む場合にも、プラグどうしが干渉すること無く、全ての差込口を使用可能とすることができ、また、大型のプラグを複数差し込むためにコンセントの長さを大きくする必要がない。
【考案を実施するための最良の形態】
【０００６】
　以下、本考案の実施例を図面に基づいて詳細に説明する。
【実施例１】
【０００７】
　図１乃至図３は、本考案の実施例１を示す。
　本考案の多穴コンセントは、中空の座体１と、座体１内に収納された第１導電端子２及び第２導電端子３と、複数の（図に示す例では２組の）中空な差込口ユニット４とを有する。
　座体１は、上蓋１１と台座１２とを接合して成り、各差込口ユニット４と対応する位置において、上蓋１１の一側縁には、それぞれ上部開口部１１１が形成される。
　また、台座１２の一側縁には起立壁１２２が形成され、起立壁１２２の上端部の上部開口部１１１と対向する位置に下部開口部１２１が形成される。
　さらに、台座の内面には、下部開口部１２１の両側から奥方へ延びる支持片１２３が設けられ、各支持片１２３の上縁には、半円形の切欠が形成されている。
【０００８】
　第１導電端子２及び第２導電端子３は、それぞれ送電回路の往路及び帰路の一部を構成し、第１導電端子２及び第２導電端子３には、各差込口ユニット４内へ配置され、それぞれプラグ５の刃５１を受け入れ可能なクリップ２１，３１を設ける。
　なお、第１導電端子２及び第２導電端子３は、台座１２に設けた図示しない枠体等により、移動しないように座体１内に保持される。
【０００９】
　各差込口ユニット４は、それぞれ略半円形の断面を有する上殻体４１と下殻体４１’とを接合して成り、上部開口部１１１及び下部開口部１２１に臨むように座体１内へ配置される。
　また、差込口ユニット４の両端面には円形の透孔が形成され、この透孔の縁に沿って外方へ張り出すフランジ４２が形成される。
　そして、差込口ユニット４の両端面の透孔を通して、第１導電端子２のクリップ２１及び第２導電端子３のクリップ３１が差込口ユニット４内のほぼ中心軸上へ導入される。
【００１０】
　上殻体４１及び下殻体４１’の一側の接続端には、互いに突き合わされる平面壁４３が外周方向へ僅かに突出するよう形成され、この平面壁４３のクリップ２１，３１と径方向に対応する位置には、プラグ５の刃５１を抜挿する左右一対の差込口４４，４５が形成される。
　また、図２及び図３に示すように、差込口ユニット４は、座体１の上部開口部１１１及び下部開口部１２１に臨むよう支持片１２３の間に配置され、差込口４４，４５を形成した平面壁４３が、上部開口部１１１及び下部開口部１２１を通して座体１の外部に露出している。
【００１１】
　さらに、差込口ユニット４のフランジ４２が支持片１２３の半円形の切欠に係合され、これにより、差込口ユニット４は、差込口４４，４５がクリップ２１，３１を中心として回転するよう、座体１に支持される。
　従って、差込口ユニット４は、平面壁４３が上部開口部１１１及び下部開口部１２１の端縁にぶつかる約９０度の範囲で、クリップ２１，３１を中心に回動することができ、このように差込口ユニット４が回動しても、差込口４４，４５は常にクリップ２１，３１から径方向に対応した位置に配置されることになる。
【００１２】
　実際に使用する際は、差込口ユニット４を回動させて、その平面壁４３を適当な位置まで移動させ、プラグ５の刃５１を差込口４４，４５を通してクリップ２１，３１に接続することができる。
　比較的大型のプラグ５を隣り合って差し込むときは、隣接する差込口ユニット４の差込口４４，４５を周方向の互いに異なる角度に回動させて、隣り合うプラグ５の差込方向を交錯させ、プラグ５どうしの干渉を回避することができる。
【実施例２】
【００１３】
　図４及び図５は、本考案の実施例２を示す。
　台座１２に起立壁１２２を設けず、下部開口部１２１を上部開口部１１１とほぼ対称に形成する。
　従って、差込口ユニット４の平面壁４３は、台座１２の底面と平行な位置から上蓋１１の上面と平行な位置まで回動することができ、差込口４４，４５の差込方向は１８０度の範囲で変えることができる。
　その他の構成は実施例１とほぼ同様なので、同位置部分同一符号を付して、詳細な説明を省略する。
【図面の簡単な説明】
【００１４】
【図１】実施例１を示す多穴コンセントの分解斜視図。
【図２】同上の断面図。
【図３】同上のプラグ差込方向を変えた状態の断面図。
【図４】実施例２を示す多穴コンセントの分解斜視図。
【図５】同上の断面図。
【符号の説明】
【００１５】
　１　座体
　１１　上蓋
　１１１　上部開口部
　１２　台座
　１２１　下部開口部
　１２２　起立壁
　１２３　支持片
　２　第１導電端子
　２１　クリップ
　３　第２導電端子
　３１　クリップ
　４　差込口ユニット
　４１　上殻体
　４１’　下殻体
　４２　フランジ
　４３　平面壁
　４４，４５　差込口
　５　プラグ
　５１　刃
【図１】
0003100314.tif 000003
【図２】
0003100314.tif 000004
【図３】
0003100314.tif 000005
【図４】
0003100314.tif 000006
【図５】
0003100314.tif 000007